(57)【要約】【課題】フライホイールを用いた走行玩具であって、フライホイールの回転によって、走行玩具の直線走行のみではなく、異なる走行状態も可能とした走行玩具を提供する。【解決手段】回動自在に車台に軸支される車輪と、走行時に路面に接地するフライホイールを車台の中央に回転自在に支持されたフライホイール部を備えた。【選択図】図１
2007014410.tif 000002
【特許請求の範囲】
【請求項１】
回動自在に車台に軸支される車輪と、走行時に路面に接地するフライホイールを車台の中央に回転自在に支持されたフライホイール部を備えたことを特徴とした走行玩具。
【請求項２】
請求項１において、前記走行玩具は、前記車輪を車台の前方左右及び後方左右に各々設けたことを特徴とした走行玩具
【請求項３】
請求項１において、前記走行玩具は、前方及び後方のいずれか一方の車台の中央に前記車輪を設け、いずれか他方の車台の左右に前記車輪を各々設けたことを特徴とした走行玩具
【請求項４】
請求項１乃至３のいずれか１項において、前記車輪は、前記車台の前方及び後方の左右に垂直方向に形成された車軸用長穴を貫通する車軸によって支持されていることを特徴とした走行玩具。
【請求項５】
請求項１乃至４のいずれか１項において、前記フライホイール部は、フライホイールと同軸とされたピニオンギアを有し、前記ピニオンギアと歯合するラックベルトを挿入する為のラックベルト挿入路を備えたことを特徴とした走行玩具。
【請求項６】
請求項５において、前記ラックベルト挿入路は、前記車台の斜め上方後方より、前記フライホイール部のピニオンギアへと向かう断面が方形状の筒形状に形成したことを特徴とした走行玩具。
【請求項７】
請求項１乃至４のいずれか１項において、前記フライホイール部は、フライホイールと同軸とされたピニオンギアを有し、前記ピニオンギアと歯合する加速歯車列と、前記加速歯車列と歯合し、車台の後瑞から一部が突設するようにして回動自在に軸支された加速輪を備えたことを特徴とした走行玩具。
【請求項８】
請求項１乃至４のいずれか１項において、前記フライホイール部は、フライホイールと同軸とされたプーリーを有し、前記プーリーに巻き付ける巻き紐を備えたことを特徴とした走行玩具。
【発明の詳細な説明】
【技術分野】
【０００１】
本発明は、フライホイールを用いて走行する走行玩具に関するものである。
【背景技術】
【０００２】
従来のフライホイールを用いて走行する走行玩具は、実開昭５３−１２０１９４号公報「フライホイール式走行玩具」に示す玩具のように、車輪から歯車を経てフライホイールを回転させ、その慣性を利用して走行させるものであった。また、従来のフライホイールを用いた走行玩具の走行は、四輪で直線走行を行うものであり、単調なため面白味に欠ける問題があった。
【特許文献１】実開昭５３−１２０１９４号公報
【発明の開示】
【発明が解決しようとする課題】
【０００３】
そこで、本発明は、上記従来技術の問題点に斯かる実情に鑑みなされたもので、フライホイールを用いた走行玩具であって、フライホイールの回転によって、走行玩具の直線走行のみではなく、異なる走行状態も可能とした走行玩具を提供することを課題とする。
【課題を解決するための手段】
【０００４】
請求項１記載の発明は、回動自在に車台に軸支される車輪と、走行時に路面に接地するフライホイールを車台の中央に回転自在に支持されたフライホイール部を備えたことを特徴とする。
【０００５】
請求項２記載の発明は、請求項１において、前記走行玩具は、前記車輪を車台の前方左右及び後方左右に各々設けたことを特徴とする。
【０００６】
請求項３記載の発明は、請求項１において、前記走行玩具は、前方及び後方のいずれか一方の車台の中央に前記車輪を設け、いずれか他方の車台の左右に前記車輪を各々設けたことを特徴とする。
【０００７】
請求項４記載の発明は、請求項１乃至３のいずれか１項において、前記車輪は、前記車台の前方及び後方の左右に垂直方向に形成された車軸用長穴を貫通する車軸によって支持されていることを特徴とする。
【０００８】
請求項５記載の発明は、請求項１乃至４のいずれか１項において、前記フライホイール部は、フライホイールと同軸とされたピニオンギアを有し、前記ピニオンギアと歯合するラックベルトを挿入する為のラックベルト挿入路を備えたことを特徴とする。
【０００９】
請求項６記載の発明は、請求項５において、前記ラックベルト挿入路は、前記車台の斜め上方後方より、前記フライホイール部のピニオンギアへと向かう断面が方形状の筒形状に形成したことを特徴とする。
【００１０】
請求項７記載の発明は、請求項１乃至４のいずれか１項において、前記フライホイール部は、フライホイールと同軸とされたピニオンギアを有し、前記ピニオンギアと歯合する加速歯車列と、前記加速歯車列と歯合し、車台の後瑞から一部が突設するようにして回動自在に軸支された加速輪を備えたことを特徴とする。
【００１１】
請求項８記載の発明は、請求項１乃至４のいずれか１項において、前記フライホイール部は、フライホイールと同軸とされたプーリーを有し、前記プーリーに巻き付ける巻き紐を備えたことを特徴とする。
【発明の効果】
【００１２】
請求項１記載の発明によれば、回動自在に車台に軸支される車輪と、走行時に路面に接地するフライホイールを車台の中央に回転自在に支持されたフライホイール部を備えており、走行玩具の中央に備えたフライホイール（１輪）による駆動であっても、走行玩具に形成された四つの車輪が路面と接地することによって、直進安定性に優れた走行を行うことができる。そして、走行玩具の中央に備えたフライホイールのジャイロ効果によって、走行玩具の片側の車輪のみを接地させた走行状態（片輪走行）とすることも可能とする。
【００１３】
請求項２記載の発明によれば、請求項１に記載の走行玩具は、前記車輪を車台の前方左右及び後方左右に各々設けたことにより、四つの車輪を有する四輪走行玩具とすることができる。また、例えば六つの車輪を有した六輪走行玩具とすることも可能である。
【００１４】
請求項３記載の発明によれば、請求項１又は２に記載の走行玩具は、前方及び後方のいずれか一方の車台の中央に前記車輪を設け、いずれか他方の車台の左右に前記車輪を各々設けたことにより、三つの車輪を有する三輪走行玩具とすることができる。この三つの車輪を有する走行玩具であっても、前方又は後方の中央に設けた一輪と前方又は後方の左右に設けた車輪の内の片側の一輪のみを接地させた走行状態（片輪走行）とすることも可能とする。
【００１５】
請求項４記載の発明によれば、車輪は、前記車台の前方及び後方の左右に垂直方向に形成された車軸用長穴を貫通する車軸によって支持することによって、車輪の各々は、その自重によって路面と接地する。走行玩具が走行時に車輪の各々は、路面との摩擦力によって回転し、恰も車輪を駆動力源として走行しているかの如くみせることが可能である。また、路面状態が悪い場合においても、車輪の各々は、車軸用長穴間を上下動するようになり、走行玩具自体の傾斜を防ぎ、走行玩具の中央に備えたフライホイールが常に路面と接地し、直進走行を行うことができる。
【００１６】
請求項５記載の発明によれば、前記フライホイール部は、フライホイールと同軸とされたピニオンギアを有し、前記ピニオンギアと歯合するラックベルトを挿入する為のラックベルト挿入路を備えており、ラックベルト挿入路にラックベルトを挿入することによって、容易にラックベルトの歯部とピニオンギアを歯合させ、ラックベルトによりピニオンギアを介してフライホイールを容易に高速回転させることができる。
【００１７】
請求項６記載の発明によれば、前記車台の斜め上方後方より、前記フライホイール部のピニオンギアへと向かう断面が方形状の筒形状に形成することによって、走行玩具内に挿入されるラックベルトは、後輪を支持する車軸と干渉することが無い為に、確実に挿入することができる。
【００１８】
請求項７記載の発明によれば、前記フライホイール部は、フライホイールと同軸とされたピニオンギアを有し、前記ピニオンギアと歯合する加速歯車列と、前記加速歯車列と歯合し、車台の後瑞から一部が突設するようにして回動自在に軸支された加速輪を備え、車台の後瑞から突設された加速輪を回転させることによって、加速歯車列を介してフライホイールを高速に回転させることが可能である。
【００１９】
請求項８記載の発明によれば、前記フライホイール部は、フライホイールと同軸とされたプーリーを有し、前記プーリーに巻き付ける巻き紐とを備えることによって、プーリーに巻き紐を巻き、勢いよく巻き紐を引き抜くことによって、フライホイールを高速に回転させることが可能である。
【発明を実施するための最良の形態】
【００２０】
車台の前方左右及び後方左右に回動自在に車台に軸支される車輪と、フライホイール部とラックベルト挿入路及びカバーを備え、フライホイール部は、走行時に路面に接地するフライホイール及びこのフライホイールと同軸とされたピニオンギアを有して車台の中央にフライホイールを配置し、ラックベルト挿入路は、前記車台の斜め上方後方より、前記フライホイール部のピニオンギアへと向かう断面が方形状の筒形状に形成され、前記車輪は、前記車台の前方及び後方の左右に垂直方向に形成された車軸用長穴を貫通する車軸によって支持されて、車台やフライホイール部を覆う車両の形状を模したカバーが車台に取り付けられている。
【００２１】
前記走行玩具のフライホイールを高速に回転させる別の構成として、前記走行玩具にラックベルト挿入路を備えずに、前記フライホイール部のピニオンギアと歯合する加速歯車列と、前記加速歯車列と歯合し、車台の後瑞から突設し回動自在に軸支された加速輪とすることもある。また、前記フライホイール部は、ピニオンギアに換わり、フライホイールと同軸とされたプーリーを有し、前記プーリーに巻き付ける巻き紐を備えることもある。
【００２２】
また、走行玩具は、前方及び後方のいずれか一方の車台の中央に前記車輪を設け、いずれか他方の車台の左右に前記車輪を各々設けることもある。
【実施例１】
【００２３】
以下、図を参照して、本発明を適用した実施の形態について説明する。図１は、走行玩具の外観を示す斜視図面である。走行玩具１０は、本体部２０を覆うと共に、ラックベルト５４用開口を有するカバー５２を有している。
【００２４】
本体部２０を覆うカバー５２は、合成樹脂製で形成され、実施例では、自動車を模した形に形成されている。これにより、走行玩具１０の走行時には、恰も自動車が走行しているかの様に見せることができる。
【００２５】
次に、図２〜図４を用いて本体部２０の説明を行う。図２に示す図は、本体部２０の上面からの見た図であり、図３及び図４は、本体部の側面から見た図である。また、図４は、左右の前輪及び後輪を外した状態を示す図である。
【００２６】
本体部２０の構成は、車台２２と、前輪部と、後輪部と、フライホイール部で構成されている。車台２２の前方及び後方の両側面には、垂直方向に形成された長穴である車軸用長穴２４がそれぞれ形成され、前方の車軸用長穴２４には、前輪部が、回動自在に軸架されている。同様に、後方の車軸用長穴２４には、後輪部が回転自在に軸架されているものである。また車台２２の中央には、フライホイール部のフライホイール３６が路面と接地するように回動自在に軸支されている。
【００２７】
前輪部は、２つの車輪４２と１本の車軸４０によって構成され、車軸４０の両端に車輪４２が軸着されると共に、前輪部は、車台２２の車軸用長穴２４に回動自在に掛架されている。後輪部も同様に、２つの車輪４８と１本の車軸５０によって構成され、車軸５０の両端に車輪４８が軸着されると共に、後輪部は、車台２２の車軸用長穴２４に回動自在に掛架されている。前輪部及び後輪部は、車軸用長穴２４によって、車台２２の垂直方向に対して上下動可能となっており、その車輪４２・４８の自重によって路面に対して絶えず接地するようになる。
【００２８】
フライホイール部は、フライホイール３６とピニオンギア３２とフライホイール軸３４で構成され、フライホイール軸３４にフライホイール３６とピニオンギア３２が同軸上で連なるように軸着されている。
【００２９】
フライホイール３６は、鉄又は鉛などの金属を円板状に形成されており、フライホイール３６が高速で回転を行うとジャイロ効果が得られるようになる。また、該フライホイール３６は、路面と接地し走行玩具１０を走行させる為の駆動力となる。
【００３０】
また、車台２２には、車台２２の斜め上方後方より、該フライホイール部のピニオンギア３２へと向かう断面が方形状の筒であるラックベルト挿入路２８が形成され、ラックベルト挿入路２８の端部であるラックベルト挿入口２８から内部にラックベルト５６を挿入した際に、ラックベルト５６に形成された歯部５８とピニオンギア３２が歯合するようになる。
【００３１】
また、図１に示す本体部２０を覆うカバー５２には、車台２２に形成されたラックベルト挿入路２６の端部であるラックベルト挿入口２８の位置に合わせた方形状の開口であるラックベルト用開口５４が形成されており、走行玩具１０を走行させる際には、カバー５２に形成されたラックベルト用開口５４からラックベルト５６を挿入する。
【００３２】
図５は、ラックベルト５６を車台２２に形成したラックベルト挿入路２８に挿入した状態を示す図である。まず、ラックベルト５６の説明を行う。ラックベルト５６は、断面を方形状にした棒形状に形成され、該棒の一側面には、ピニオンギア３２と歯合する歯部５８が形成されている。また、棒形状に形成されたラックベルト５６の端部には、リング状に形成された指掛部６０が形成され、ラックベルト５６を使用時には、該指掛部６０に指を掛けて使用するものである。
【００３３】
走行玩具１０のフライホイール３６を回転させる為に、図５（Ａ）に示すように、ラックベルト５６の歯部５８をピニオンギア３２に歯合させるようにラックベルト５６をラックベルト挿入路２８の内側に挿入する。その後、図５（Ｂ）に示すようにラックベルト５６を素早く走行玩具１０の斜め上後方へと引き抜くことによりフライホール３６を回転させることができる。その後、図示しないが、走行玩具１０のフライホイール３６を床などの路面に接地させると、前輪部及び後輪部のそれぞれの車輪４２・４８も、その自重によって、車軸用長穴２４間で下降し、床などの路面に接地する。その後フライホイール３６と、路面との摩擦力によって走行玩具１０は、直進走行を行うようになる。
【００３４】
また、ラックベルト５６の指掛部６０に指を掛けてラックベルト５６を走行玩具１０の斜め上方後方へと素早く引き抜けば、フライホイール３６を、より高速回転させることが容易にできる。
【００３５】
図６は、走行玩具１０の前輪部の車輪４０が路面上にある障害物に乗り上げた状態を示す図である。図６に示すように、前輪部の車輪４２が障害物に乗り上げた状態であっても、車台２２に垂直方向に開口した長穴である車軸用長穴２４によって車輪４２は、上方へと移動し、走行玩具１０自体の傾斜を防ぐことができる。
【００３６】
これにより、路面状態が悪い場合においても、走行玩具１０の左右の前輪及び後輪は、車軸用長穴２４間を上下動し、走行玩具１０自体の傾斜を防ぎ、走行玩具１０の中央に備えたフライホイール３６が常に路面と接地し、直進走行を行うことができる。
【００３７】
図７は、走行玩具１０、走行状態が片輪走行の状態を示す図である。図５（Ｂ）に示すようにラックベルト５６を素早く引き抜いた直後に、走行玩具１０を傾けた状態で、走行玩具１０の側面のである片側の車輪のみを路面に接地させると、フライホイール３６のジャイロ効果によって、走行玩具１０は、片輪で傾いた状態で静止し維持される。その片輪で静止した維持した状態から、走行玩具の進行方向に対して押し出すことによって、環状を描くように安定した片輪走行を行なうようになる。また、フライホイール３６の回転する速度が低下すると、ジャイロ効果が弱まるため、片輪走行状態から、通常の四輪での走行状態へと移行し、走行玩具１０は、前進走行を行うようになっている。
【００３８】
以上説明したように構成することにより、フライホイールを用いた走行玩具であって、フライホイールの回転によって、走行玩具の直線走行のみではなく、異なる走行状態も可能とした走行玩具を提供することができる。また、好ましい実施例を挙げて本発明を説明したが、本発明はその実施例に限定されるものではなく、本発明の要旨の範囲内で種々に改変できる。
【００３９】
例えば、図８に示すように、走行玩具１０は、フライホイール部のピニオンギア３２と歯合すると歯合する加速歯車列６２と、該加速歯車列６２と歯合し車台２２及びカバー５２の後瑞から突設する回動自在に軸支された加速輪６４とを備えた走行玩具１０とするものである。この走行玩具１０は、走行玩具１０の後瑞となる加速輪６４を路面に接地するように倒立させ、該走行玩具１０を加速輪６４が回転するように押圧移動させることにより、車台２２の後瑞から突設された加速輪６４が、路面との摩擦によって回転させ、加速歯車列６２を介してフライホイール３６を高速で回転させることができるものである。
【００４０】
また、この加速輪６４は、路面との摩擦力を増す為に、加速輪６４の外周にゴムなどの弾性体で覆うこともあり、フライホイール３６を回転させる際に、より効率的に回転させることも可能である。図８で示す加速歯車列６２は、２つの歯車から構成されているが、少なくとも１以上の歯車であれば、いくつの歯車で構成しても構わない。このように、加速歯車列６２と、加速輪６４を備えることによって走行玩具１０の車重が増すことになるが、上述した実施例の、ラックベルト５６を不要とすることが可能である。
【００４１】
また、フライホイール３６を高速に回転させる別の手法として、フライホイール部に、フライホイール３６と同軸とされたプーリー（図示しない）を形成し、該プーリーに巻き紐（図示しない）を巻き、勢いよく巻き紐を引き抜くことによって、フライホイール３６を容易に高速に回転させることも可能である。
【００４２】
次に、前輪部及び後輪部のいずれか一方の車輪を車台２２の中心に一輪とし、他方に二輪を備えることにより、三つの車輪を有する三輪走行玩具とすることもできる。この三つの車輪を有する走行玩具１０であっても、フライホイールにより三輪で走行しているように見せることや、前輪及び後輪のいずれか一方である中央の一輪といずれか他方の二輪の内の片側の一輪のみを接地させた走行状態（片輪走行）とすることも可能とすることができる。
【００４３】
また、上述した実施例では、本体部を覆うカバー５２は、自動車を模した形に形成されているが、このカバー５２は、例えば、船、飛行機などの移動する乗り物を模して形成することもある。
【図面の簡単な説明】
【００４４】
【図１】本発明に係る走行玩具の外観を示す斜視図を示している。
【図２】本発明に係る走行玩具の本体部の上面を示す図である。
【図３】本発明に係る走行玩具の本体部の側面を示す図である。
【図４】本発明に係る走行玩具の本体部の側面を示す図である。
【図５】本発明に係る走行玩具にラックベルトの使用例を示す図である。
【図６】本発明に係る走行玩具の前輪が障害物に乗り上げた状態を示す図である。
【図７】本発明に係る走行玩具の走行状態が片輪で走行している状態を示す図である。
【図８】本発明に係る走行玩具に加速歯車列を搭載している状態を示す図である
【符号の説明】
【００４５】
１０  走行玩具
２０  本体部
２２  車台
２４  車軸用長穴
２６  ラックベルト挿入路
２８  ラックベルト挿入口
３２  ピニオンギア
３４  フライホイール軸
３６  フライホイール
４０  車軸
４２  車輪
４８  車輪
５０  車軸
５２  カバー
５４  ラックベルト用開口
５６  ラックベルト
５８  歯部
６０  指掛部
６２  加速歯車列
６４  加速輪
【図１】
2007014410.tif 000003
【図２】
2007014410.tif 000004
【図３】
2007014410.tif 000005
【図４】
2007014410.tif 000006
【図５】
2007014410.tif 000007
【図６】
2007014410.tif 000008
【図７】
2007014410.tif 000009
【図８】
2007014410.tif 000010